(57)【要約】【課題】快適な空調空間を提供しつつ更なる省エネルギー化を図ることができる空調制御システムを得る。【解決手段】室温センサ７と、気圧センサ８と、晴雨判定部９と、機器制御部５と、スケジュール運転情報テーブル１３Ａを記憶する記憶部１３と、操作部１４と、を備え、記憶部１３には、スケジュール運転情報テーブル１３Ａの運転時間となったときに晴雨判定部９からの晴雨判定情報を用いた空調運転を実行させる晴雨判定運転モードがスケジュール運転情報として記憶され、機器制御部５は、操作部１４で晴雨判定運転モードが選択された場合、晴雨判定部９からの晴雨情報と室温センサ７で検出された室温情報とに基づいて、スケジュール運転情報テーブル１３Ａの運転時間で予測される天候を考慮した空調制御を行う。【選択図】図２
2014159918.tif 000002
【特許請求の範囲】
【請求項１】
室内温度検出部と、
気圧検出部と、
前記気圧検出部で検出された気圧情報に基づいて天候が晴天か雨天かを判定する晴雨判定部と、
空調機の動作を制御する機器制御部と、
任意の時間に運転を実行させるスケジュール運転情報を記憶する記憶部と、
空調機を操作する操作部と、
を備え、
前記記憶部には、前記時間となったときに前記晴雨判定部からの晴雨判定情報を用いた空調運転を実行させる晴雨判定運転モードが前記スケジュール運転情報として記憶され、
前記機器制御部は、前記操作部で前記晴雨判定運転モードが選択された場合、前記晴雨判定部からの晴雨情報と前記室内温度検出部で検出された室温情報とに基づいて、前記時間で予測される天候を考慮した空調制御を行うことを特徴とする空調制御システム。
【請求項２】
前記晴雨判定運転モードは、前記時間では晴雨判定を用いた冷房運転を実行させる晴雨判定冷房運転モードと、前記時間では晴雨判定を用いた暖房運転を実行させる晴雨判定暖房運転モードとに区分され、
前記機器制御部は、前記操作部で前記晴雨判定冷房運転モードまたは晴雨判定暖房運転モードが選択された場合、前記空調機に設けられた圧縮機の動作時間を、前記晴雨判定情報を用いずに空調運転を実行するときにおける前記圧縮機の動作時間よりも短縮させることを特徴とする請求項１に記載の空調制御システム。
【請求項３】
表示部を備えたリモートコントローラを備え、
前記表示部には、前記晴雨判定部からの晴雨情報の内容に対応する省エネ関連情報が記録され、
前記表示部は、前記晴雨情報を受信したとき、その内容に対応する省エネ関連情報を表示することを特徴とする請求項１または２に記載の空調制御システム。
【発明の詳細な説明】
【技術分野】
【０００１】
本発明は、空調制御システムに関するものである。
【背景技術】
【０００２】
例えば下記特許文献１に示される従来技術は、気圧の変化を測定することにより天候を予測し、予測された天候情報に基づいて空気調和機の設定温度を補正し、補正された設定温度に応じて圧縮機および室内送風機を断続運転させることより、室内の湿度を低下させる機能を有する。この構成により、予め雨が降りだす前に除湿運転が行われ、雨が降りだして高湿度となっても快適な室内環境を提供することができる。
【先行技術文献】
【特許文献】
【０００３】
【特許文献１】実開平３−２７５３８号公報
【発明の概要】
【発明が解決しようとする課題】
【０００４】
しかしながら、上記特許文献１に示される従来技術は、例えば現在時刻から数時間後に雨が降りだすことを予測して除湿運転を行う運転モードを備えているものの、この運転モードでは、ユーザーが意図しないタイミングで除湿運転が行われ、例えば現在時刻から８時間後に天候が雨になることが予測される場合においては、ユーザーが除湿運転を必要としない期間においても圧縮機等が駆動され、通常の運転モードで空調制御が行われている場合に比べて消費電力が増加するという課題があった。このように従来技術では、ユーザーが意図しないタイミングで天候を考慮した空調制御が実行されるため、快適な空調空間を提供しつつ更なる省エネルギー化を図ることが困難という課題があった。
【０００５】
本発明は、上記に鑑みてなされたものであって、快適な空調空間を提供しつつ更なる省エネルギー化を図ることができる空調制御システムを得ることを目的とする。
【課題を解決するための手段】
【０００６】
上述した課題を解決し、目的を達成するために、本発明は、室内温度検出部と、気圧検出部と、前記気圧検出部で検出された気圧情報に基づいて天候が晴天か雨天かを判定する晴雨判定部と、空調機の動作を制御する機器制御部と、任意の時間に運転を実行させるスケジュール運転情報を記憶する記憶部と、空調機を操作する操作部と、を備え、前記記憶部には、前記時間となったときに前記晴雨判定部からの晴雨判定情報を用いた空調運転を実行させる晴雨判定運転モードが前記スケジュール運転情報として記憶され、前記機器制御部は、前記操作部で前記晴雨判定運転モードが選択された場合、前記晴雨判定部からの晴雨情報と前記室内温度検出部で検出された室温情報とに基づいて、前記時間で予測される天候を考慮した空調制御を行うことを特徴とする。
【発明の効果】
【０００７】
この発明によれば、快適な空調空間を提供しつつ更なる省エネルギー化を図ることができる、という効果を奏する。
【図面の簡単な説明】
【０００８】
【図１】図１は、空調制御システムを模式的に表す図である。
【図２】図２は、本発明の実施の形態１にかかる空調制御システムで用いられる室内機およびリモートコントローラの主機能を示すブロック図である。
【図３】図３は、記憶部に記憶されるスケジュール運転情報テーブルの内容を示す図である。
【図４】図４は、晴雨判定運転モードが選択された場合における空調制御動作と、晴雨判定運転モードが選択されていない場合における空調制御動作とを説明するフローチャートである。
【図５】図５は、本発明の実施の形態２にかかる空調制御システムで用いられる室内機およびリモートコントローラの主機能を示すブロック図である。
【発明を実施するための形態】
【０００９】
以下に、本発明にかかる空調制御システムの実施の形態を図面に基づいて詳細に説明する。なお、この実施の形態によりこの発明が限定されるものではない。
【００１０】
実施の形態１．
図１は、空調制御システムを模式的に表す図である。図２は、本発明の実施の形態１にかかる空調制御システムで用いられる室内機およびリモートコントローラの主機能を示すブロック図である。図３は、記憶部に記憶されるスケジュール運転情報テーブルの内容を示す図である。図４は、晴雨判定運転モードが選択された場合における空調制御動作と、晴雨判定運転モードが選択されていない場合における空調制御動作とを説明するフローチャートである。
【００１１】
図１には空調制御システムを構成する機器として、集中管理装置３と、複数の室内機２（例えば４台の室内機２−１，２−２，２−３，２−４）と、室内機２との間で冷媒回路を構成する室外機４と、リモートコントローラ１（以下「リモコン１」）とが示されている。室内機２は、有線もしくは無線でリモコン１と通信可能に接続され、室内機２および各室内機２は、連携して動作するように構成されている。
【００１２】
図１では空調制御システムの要部の構成のみを示しており、送風ファン、冷凍サイクル機構などの各種構成部の図示は省略している。また、室内機２の数は図示例に限定されるものではなく、少なくとも１台であればよい。なお、以下の説明では、室内機２および室外機４を総称して空調機という。また単に室内機２と記載した場合には、室内機２−１〜２−４を総称して表すものとする。
【００１３】
図２に示されるリモコン１は、主たる構成として、室内機２と間で情報の送受信を行う送受信部１０と、リモコン１の動作を司る制御部１１と、操作部１４と、記憶部１３と、タイマ１５とを有して構成されている。なお、リモコン１と室内機２との間の通信方式は、無線、有線を問わない。
【００１４】
操作部１４は、空調機の運転を遠隔制御するためのインタフェースである。操作部１４では、例えば空調機の運転開始、空調機の運転停止、空調機の運転モードの選択、設定温度の変更、設定湿度の変更、操作禁止事項の設定変更など、空調運転に係わる様々な機能をユーザーが任意に選択できるように構成されている。
【００１５】
記憶部１３には、操作部１４の操作内容に応じた空調運転を空調機に実行させるための各種情報が記録され、例えばスケジュール運転情報テーブル１３Ａが記録されている。スケジュール運転情報テーブル１３Ａには、例えば空調機のスケジュール運転モード、運転時間、および設定温度などの条件が対応付けて記録させている。なお、スケジュール運転情報テーブル１３Ａの内容は図示例に限定されるものではなく、例えば運転曜日、設定湿度などを組み合わせてもよい。
【００１６】
図３には一例として４つのスケジュール運転モードが示されている。例えば、通常冷房運転モードは、設定された運転時間の間では晴雨判定に従うことなく冷房運転を実行させる運転モードである。通常暖房運転モードは、設定された運転時間の間では晴雨判定を用いることなく暖房運転を実行させる運転モードである。
【００１７】
晴雨判定冷房運転モードは、設定された運転時間の間では晴雨判定を用いた冷房運転を実行させる運転モードである。晴雨判定暖房運転モードは、設定された運転時間の間では晴雨判定を用いた暖房運転を実行させる運転モードである。
【００１８】
制御部１１は、タイマ１５からの時刻情報により、空調機の運転時間（開始時刻から終了時刻）を管理しており、スケジュール運転モードの何れかが選択されている場合、選択されたスケジュール運転モードに従った空調制御を、自動的に実行させる運転指令を生成する。
【００１９】
例えば、晴雨判定冷房運転モードが選択された場合、制御部１１は、スケジュール運転情報テーブル１３Ａを参照し、晴雨判定冷房運転モードに対応する運転時間（例えば８時００分から１７時００分）の間では晴雨判定に従った冷房運転を実行させる運転指令を生成する。また晴雨判定暖房運転モードが選択された場合、制御部１１は、スケジュール運転情報テーブル１３Ａを参照し、晴雨判定暖房運転モードに対応する運転時間（例えば８時００分から１７時００分）の間では晴雨判定に従った暖房運転を実行させる運転指令を生成する。他のスケジュール運転モードが選択された場合も同様である。そして、生成された運転指令は、送受信部１０に出力され、送受信部１０においてリモコン信号に含められて送受信部６へ送信される。
【００２０】
本実施の形態に係る空調制御システムは、スケジュール運転ではない通常の運転モード（通常運転モード）だけでなく、スケジュール運転モードを選択可能に構成されており、特に晴雨判定冷房運転モードと晴雨判定暖房運転モードとを選択可能に構成することによって、ユーザーが意図するタイミングで天候を考慮した空調制御を実行させることができ、従来技術より省エネルギー化を図ることができる。
【００２１】
図２に示される室内機２は、主たる構成として、室内機２の動作を司る機器制御部５と、サーミスタなどの温度検知手段である室温センサ７と、気圧の変化を電気量の変化に変換する半導体センサ等の気圧センサ８と、リモコン１と間で情報の送受信を行う送受信部６とを有して構成されている。
【００２２】
晴雨判定部９は、気圧センサ８からの気圧情報に基づいて、現在の天候あるいは今後予測される天候が晴天であるか曇天であるかを判定し、判定結果を晴雨情報として機器制御部５に出力する。
【００２３】
晴雨判定部９による晴雨判定の具体例を説明する。例えば天候が晴天か晴天以外（曇天または雨天）であるかを判別するための第１の所定値と、天候が雨天か雨天以外（晴天または曇天）かを判別するための第２の所定値（第１の所定値より低い値）とが予め晴雨判定部９に設定されている。選択されたスケジュール運転モードの運転開始時刻に計測された気圧が第１の所定値より高い場合、晴雨判定部９では「晴天」と判定される。一方、この気圧が第２の所定値より低い場合、晴雨判定部９では「雨天」と判定される。なお、晴雨判定の方法はこれに限定されるものではなく、公知の判定方法を用いてもよい。
【００２４】
機器制御部５には、晴雨判定部９からの晴雨情報と、室温センサ７からの室温情報（室内温度に関する情報）と、リモコン１からの運転指令とが入力される。機器制御部５は、晴雨情報と室温情報と運転指令とに基づいて、室温センサ７で計測された室内温度が設定温度になるように空調機を制御する。
【００２５】
例えば、晴雨判定冷房運転モードが選択されている場合におけるリモコン１からの運転指令は、晴雨判定冷房運転モードに対応する運転時間の間では晴雨判定に従った冷房運転を実行させる指令である。この運転指令を受信した機器制御部５は、晴雨情報に基づいて、リモコン１から送信された設定温度を補正し、室内温度と補正された設定温度とによって圧縮機や室内送風機などを制御する。
【００２６】
以下、図４を用いて動作を説明する。以下の説明では、説明を簡単化するため、上述した４つのスケジュール運転モードの内の晴雨判定冷房運転モードおよび晴雨判定暖房運転モードを「晴雨判定運転モード」と称し、スケジュール運転ではない通常の運転モードを「通常運転モード」と称する。
【００２７】
晴雨判定運転モードが選択された場合（ステップＳ１，Ｙｅｓ）、機器制御部５では、選択された晴雨判定運転モードに設定された運転時間の開始時刻になったか否かが判断され（ステップＳ２）、選択された晴雨判定運転モードに設定された運転時間の開始時刻になったとき（ステップＳ２，Ｙｅｓ）、晴雨判定部９での判定結果が晴れか否かを確認する（ステップＳ３）。
【００２８】
晴雨判定部９での判定結果が晴れの場合（ステップＳ３，Ｙｅｓ）、機器制御部５は、選択された運転モードが暖房モードであるか否かを確認し、運転モードが暖房モードである場合（ステップＳ４，Ｙｅｓ）、晴天、かつ、暖房運転のときに適した温度に設定温度を補正する（ステップＳ５）。
【００２９】
機器制御部５では室内温度Ｔと補正後の設定温度ＴＳとが比較され、室内温度Ｔが補正後の設定温度ＴＳ以上の場合（ステップＳ６，Ｙｅｓ）、機器制御部５は、室外機４に内蔵される圧縮機の動作を停止させる（ステップＳ７）。晴雨判定運転モードに設定された運転時間が過ぎるまでステップＳ３以下の処理が繰り返され（ステップＳ８，Ｎｏ）、運転時間が過ぎた場合には（ステップＳ８，Ｙｅｓ）、ステップＳ１以下の処理が繰り返される。
【００３０】
例えば、冬に暖房運転が行われているときの天候が晴天であり、このときの室内温度が２５℃の場合、室内に存在する人には、晴天時の室内温度が雨天時の室内温度よりも高く感じられる。そのため、機器制御部５は、スケジュール運転情報テーブル１３Ａに予め設定された設定温度から、晴天、かつ、暖房運転のときに適した補正値（例えば２℃）を減じることにより、設定温度ＴＳを例えば２３℃に変更し、補正後の設定温度ＴＳに室内温度Ｔが近づくように空調運転を行う。そして、室内温度Ｔが補正後の設定温度ＴＳよりも高いときには圧縮機の運転が停止される。
【００３１】
ステップＳ６において、室内温度Ｔが設定温度ＴＳ以上ではない場合（ステップＳ６，Ｎｏ）、機器制御部５では通常の空調制御が継続される（ステップＳ１８）。
【００３２】
ステップＳ４において、運転モードが暖房モードではない場合（ステップＳ４，Ｎｏ）、機器制御部５では運転モードが冷房モードであるか否か（例えば冷房モードであるか送風モードであるか）が確認される（ステップＳ９）。運転モードが冷房モードである場合（ステップＳ９，Ｙｅｓ）、機器制御部５は、晴天、かつ、冷房運転のときに適した温度に設定温度を補正する（ステップＳ１０）。
【００３３】
そして、機器制御部５では室内温度Ｔと補正後の設定温度ＴＳとが比較され、室内温度Ｔが設定温度ＴＳ以下の場合（ステップＳ１１，Ｙｅｓ）、機器制御部５は、室外機４に内蔵される圧縮機の動作を停止させる（ステップＳ７）。
【００３４】
例えば、夏に冷房運転が行われているときの天候が晴天の場合、室内の湿度が雨天時よりも低くなるため室内の人には晴天時の室内温度が雨天時の室内温度よりも低く感じられる。そのため、機器制御部５は、スケジュール運転情報テーブル１３Ａに予め設定された設定温度に、晴天、かつ、冷房運転のときに適した補正値（例えば２℃）を加えることにより、設定温度ＴＳを例えば２７℃に変更し、補正後の設定温度ＴＳに室内温度Ｔが近づくように空調運転を行う。そして、室内温度Ｔが補正後の設定温度ＴＳよりも低いときに圧縮機の運転が停止される。
【００３５】
ステップＳ１１において室内温度Ｔが設定温度ＴＳ以下ではない場合（ステップＳ１１，Ｎｏ）、または、ステップＳ９において運転モードが冷房モードではない場合（ステップＳ９，Ｎｏ）、機器制御部５では通常の空調制御が継続される（ステップＳ１８）。
【００３６】
ステップＳ３において、晴雨判定の結果が雨の場合（ステップＳ３，Ｎｏ）、機器制御部５では運転モードが暖房モードであるか否かが確認され、運転モードが暖房モードである場合（ステップＳ１２，Ｙｅｓ）、機器制御部５は、雨天、かつ、暖房運転に適した温度に設定温度を補正する（ステップＳ１３）。
【００３７】
そして、機器制御部５では室内温度Ｔと補正後の設定温度ＴＳとが比較され、室内温度Ｔが設定温度ＴＳ以上の場合（ステップＳ１４，Ｙｅｓ）、機器制御部５は室外機４に内蔵される圧縮機の動作を停止させる（ステップＳ７）。
【００３８】
ステップＳ１４において、室内温度Ｔが設定温度ＴＳ以上ではない場合（ステップＳ１４，Ｎｏ）、機器制御部５では通常の空調制御が継続される（ステップＳ１８）。
【００３９】
ステップＳ１２において、運転モードが暖房モードではない場合（ステップＳ１２，Ｎｏ）、機器制御部５は運転モードが冷房モードであるか否かを確認する（ステップＳ１５）。運転モードが冷房モードである場合（ステップＳ１５，Ｙｅｓ）、機器制御部５は、雨天、かつ、冷房運転のときに適した温度に設定温度を補正する（ステップＳ１６）。
【００４０】
そして、機器制御部５では室内温度Ｔと補正後の設定温度ＴＳとが比較され、室内温度Ｔが設定温度ＴＳ以下の場合（ステップＳ１７，Ｙｅｓ）、機器制御部５は室外機４に内蔵される圧縮機の動作を停止させる（ステップＳ７）。
【００４１】
ステップＳ１７において室内温度Ｔが設定温度ＴＳ以下ではない場合（ステップＳ１７，Ｎｏ）、または、ステップＳ１５において通常運転モードが冷房モードではない場合（ステップＳ１５，Ｎｏ）、機器制御部５では通常の空調制御が継続される（ステップＳ１８）。
【００４２】
ステップＳ１において、晴雨判定運転モードが選択されていない場合（ステップＳ１，Ｎｏ）、機器制御部５は、運転モードが暖房モードであるか否かを確認する（ステップＳ２０）。
【００４３】
運転モードが暖房モードである場合（ステップＳ２０，Ｙｅｓ）、機器制御部５では室内温度Ｔと設定温度ＴＳとが比較され、室内温度Ｔが設定温度ＴＳ以上の場合（ステップＳ２１，Ｙｅｓ）、機器制御部５は室外機４に内蔵される圧縮機の動作を停止させる（ステップＳ２２）。
【００４４】
ステップＳ２１において、室内温度Ｔが設定温度ＴＳ以上ではない場合（ステップＳ２１，Ｎｏ）、機器制御部５では通常の空調制御が継続される（ステップＳ２５）。
【００４５】
ステップＳ２０において、運転モードが暖房モードではない場合（ステップＳ２０，Ｎｏ）、機器制御部５は運転モードが冷房モードであるか否かを確認する（ステップＳ２３）。運転モードが冷房モードである場合（ステップＳ２３，Ｙｅｓ）、機器制御部５では室内温度Ｔと補正後の設定温度ＴＳとが比較され、室内温度Ｔが設定温度ＴＳ以下の場合（ステップＳ２４，Ｙｅｓ）、機器制御部５は、室外機４に内蔵される圧縮機の動作を停止させる（ステップＳ２２）。
【００４６】
ステップＳ２４において室内温度Ｔが設定温度ＴＳ以下ではない場合（ステップＳ２４，Ｎｏ）、または、ステップＳ２３において運転モードが冷房モードではない場合（ステップＳ２３，Ｎｏ）、機器制御部５では通常の空調制御が継続される（ステップＳ２５）。
【００４７】
なお、本実施の形態では、スケジュール運転情報テーブル１３Ａがリモートコントローラ１の記憶部１３に記録され、スケジュール運転モードが選択された場合にはリモコン１内の制御部１１がタイマ１５からの時刻情報によってスケジュール運転モードに従った空調制御を実行させる運転指令を生成するように構成されているが、本実施の形態に係る空調制御システムはこの構成に限定されるものではない。例えば、スケジュール運転情報テーブル１３Ａを室内機２内のメモリ（図示せず）に記憶させ、スケジュール運転モードが選択された場合には、スケジュール運転モードが選択されたことを示すリモコン信号がリモコン１で生成され、この信号を受信した室内機２の機器制御部５がスケジュール運転モードに従った空調制御を実行するように構成してもよい。
【００４８】
また、スケジュール運転情報テーブル１３Ａを集中管理装置３のメモリ（図示せず）に記憶させ、集中管理装置３に設けられた操作部（図示せず）によってスケジュール運転モードが選択された場合には、スケジュール運転モードが選択されたことを示す信号が集中管理装置３で生成され、この信号を受信した室内機２の機器制御部５がスケジュール運転モードに従った空調制御を実行するように構成してもよい。
【００４９】
以上に説明したように、本実施の形態に係る空調制御システムは、室内温度検出部（室温センサ７）と、気圧検出部（気圧センサ８）と、気圧検出部で検出された気圧情報に基づいて天候が晴天か雨天かを判定する晴雨判定部９と、空調機の動作を制御する機器制御部５と、任意の時間に運転を実行させるスケジュール運転情報（例えばスケジュール運転情報テーブル１３Ａ）を記憶する記憶部（例えばリモコン１の記憶部１３）と、空調機を操作する操作部（例えばリモコン１の操作部１４）と、を備え、記憶部１３には、前記時間（例えばスケジュール運転情報テーブル１３Ａの運転時間）となったときに晴雨判定部９からの晴雨判定情報を用いた空調運転を実行させる晴雨判定運転モードが前記スケジュール運転情報として記憶され、機器制御部５は、操作部１４で晴雨判定運転モードが選択された場合、晴雨判定部９からの晴雨情報と室内温度検出部で検出された室温情報とに基づいて、前記時間で予測される天候を考慮した空調制御を行うように構成されている。この構成により、ユーザーが意図するタイミングで天候を考慮した空調制御を実行させることができ、従来技術より省エネルギー化を図ることができる。
【００５０】
また、晴雨判定運転モードは、スケジュール運転情報テーブル１３Ａの運転時間では晴雨判定を用いた冷房運転を実行させる晴雨判定冷房運転モードと、スケジュール運転情報テーブル１３Ａの運転時間では晴雨判定を用いた暖房運転を実行させる晴雨判定暖房運転モードとに区分され、機器制御部５は、操作部１４で晴雨判定冷房運転モードまたは晴雨判定暖房運転モードが選択された場合、空調機に設けられた圧縮機の動作時間を、晴雨判定情報を用いずに空調運転を実行するときにおける圧縮機の動作時間よりも短縮させるように構成されている。このことにより、ユーザーが意図するタイミングで天候を考慮した空調制御を実行させることができ、天候を考慮せずに空調制御が実行される場合に比べて省エネルギー化を図ることができる。
【００５１】
実施の形態２．
図５は、本発明の実施の形態２にかかる空調制御システムで用いられる室内機およびリモートコントローラの主機能を示すブロック図である。時１との相違点は、リモコン１に表示部１２が追加されている点である。以下、実施の形態１と同一部分には同一符号を付してその説明を省略し、ここでは異なる部分についてのみ述べる。
【００５２】
図５に示されるリモコン１は、主たる構成として、送受信部１０と制御部１１と操作部１４と記憶部１３とタイマ１５と表示部１２とを有して構成されている。表示部１２は、ユーザーに対して省エネにつながる情報を伝えるために設けられており、表示部１２には、晴雨判定部９からの晴雨情報の内容に対応する省エネ関連情報が記録されている。省エネ関連情報は、空調制御システムによる自動的な空調制御以外にも省エネにつながる情報（例えば文字情報）であり、例えば「３時間後には晴天となるためカーテンを閉めた方が省エネです」といったメッセージや、「５時間後には雨になり気温が２℃下がります。窓を開けて送風運転の方が省エネです」などのメッセージである。
【００５３】
以下、動作を説明する。例えば気圧センサ８で検出された気圧が上昇傾向にある場合、晴雨判定部９では現在時刻よりも数時間後に天候が雨天から晴天に変化することが予測される。他の例としては、例えば気圧センサ８で検出された気圧が下降傾向にある場合、晴雨判定部９では現在時刻よりも数時間後に天候が晴天から雨天に変化することが予測される。
【００５４】
晴雨判定部９で予測されたこれらの情報は、晴雨情報として、機器制御部５、送受信部６、送受信部１０、および制御部１１の順で伝送され、表示部１２で受信され、表示部１２では、これらの情報に対応した表示情報が表示される。このことにより、空調制御システムによる自動的な空調制御以外にも省エネにつながる情報を、ユーザーに提供することができる。
【００５５】
以上に説明したように実施の形態２に係る空調制御システムの表示部１２には、晴雨判定部９からの晴雨情報の内容に対応する省エネ関連情報が記録され、表示部１２は、晴雨情報を受信したとき、その内容に対応する省エネ関連情報を表示するように構成されている。このことにより、ユーザーに対して省エネにつながる情報を伝えることができ、実施の形態１よりも省エネルギー化を図ることができる。
【産業上の利用可能性】
【００５６】
以上のように、本発明は、空調制御システムに適用可能であり、特に、快適な空調空間を提供しつつ更なる省エネルギー化を図ることができる発明として有用である。
【符号の説明】
【００５７】
１  リモコン、２，２−１，２−２，２−３，２−４  室内機、３  集中管理装置、４  室外機、５  機器制御部、６  送受信部、７  室温センサ、８  気圧センサ、９  晴雨判定部、１０  送受信部、１１  制御部、１２  表示部、１３  記憶部、１３Ａ  スケジュール運転情報テーブル、１４  操作部、１５  タイマ。
【図１】
2014159918.tif 000003
【図２】
2014159918.tif 000004
【図３】
2014159918.tif 000005
【図４】
2014159918.tif 000006
【図５】
2014159918.tif 000007